(57)【要約】【課題】  フェイス濡れに起因する不吐出等を防止する。【解決手段】  本発明のインクジェットヘッドは、インク滴を吐出するインクノズル１０１を有し、前記ノズル１０１に連通し、撥水面１０１に形成された吐出口から被プリント媒体Ｐに対してインクを吐出するインクジェットヘッド１００において、撥水面１０１に対して凹状となるようにインクノズル１０１が形成されているノズルプレート１０４に、親水溝１０が形成されていることを特徴とする。【選択図】図１
2006103320.tif 000002
【特許請求の範囲】
【請求項１】
被記録媒体に対して相対的に移動する際に任意のインクノズルから前記被記録媒体にインク滴を吐出するインクジェットヘッドであって、
多数の前記インクノズルが配列されたノズルアレイを前記相対的な移動方向に複数備え、
前記複数のノズルアレイ間に、凹状をなす親水性の溝が前記副走査方向に向けて連続的に形成されており、
該溝の毛管力は、中央部よりも端部部が高いことを特徴とするインクジェットヘッド。
【請求項２】
前記溝を挟んだ複数のノズルアレイで、互いに異なる色のインクを吐出する、請求項１に記載のインクジェットヘッド。
【請求項３】
前記親水性の溝の幅は、中央部よりも端部の方が狭い、請求項１または２に記載のインクジェットヘッド。
【請求項４】
複数の前記ノズルアレイ間の略中間に前記親水性の溝が形成されている、請求項１ないし３のいずれか1項に記載のインクジェットヘッド。
【請求項５】
前記親水性の溝の長手方向の長さは前記ノズルアレイの長さ以上である、請求項１ないし４のいずれか1項に記載のインクジェットヘッド。
【請求項６】
前記親水性の溝の幅は５００μｍ以下である、請求項１ないし５のいずれか1項に記載のインクジェットヘッド。
【請求項７】
前記親水性の溝と該溝に隣接するノズルアレイとの間隔は５００μｍ以下である、請求項１ないし６のいずれか1項に記載のインクジェットヘッド。
【請求項８】
前記親水性の溝は複数設けられているとともに、該複数の親水溝の端部同士を連通させる回収溝をさらに備える、請求項１ないし７のいずれか1項に記載のインクジェットヘッド。
【請求項９】
請求項１ないし８のいずれか１項に記載のインクジェットヘッドを用いるインクジェット記録装置であって、
前記インクジェットヘッドを主走査方向に移動させる主走査機構と、
前記インクジェットヘッドと対向する位置で前記被記録媒体を副走査方向に移動させる副走査機構と、
前記インクジェットヘッドと前記主走査機構と前記副走査機構との動作を統合制御する統合制御回路と、
前記吐出口の機能を回復するためのキャップ手段と、を有し、
前記インクジェットヘッドが、前記複数のノズルアレイが前記主走査方向に並ぶように前記主走査機構に保持されているインクジェット記録装置。
【請求項１０】
インク滴を吐出するノズルを有し、前記ノズルに連通し、撥水性の表面に形成された吐出口から被記録媒体に対してインクを吐出するインクジェットヘッドの製造方法において、
前記表面に凹状の親水性の溝を形成する工程を含むことを特徴とするインクジェットヘッドの製造方法。
【発明の詳細な説明】
【技術分野】
【０００１】
本発明は、インクジェットヘッド、インクジェットプリンタおよびインクジェットヘッドの製造方法に関する。具体的には、主走査方向に配列されている複数のノズルアレイの各々に多数のインクノズルが副走査方向に配列されているインクジェットヘッド、インクジェットプリンタおよびインクジェットヘッドの製造方法に関する。
【背景技術】
【０００２】
インクジェットプリンタとして、従来から、インクジェットヘッドをキャリッジに搭載して主走査方向に往復移動させるとともに、被記録媒体を副走査方向に移動させ、インクジェットヘッドから吐出されるインク滴で被記録媒体に記録を行うものがある。
【０００３】
上述のプリンタに用いられるインクジェットヘッドは、インクノズルが副走査方向に配列されてノズルアレイを形成しており、カラー記録を行うために、ノズルアレイが主走査方向に複数配列されている構成が一般的である。このようなヘッドの中には、特許文献１に記載されているように、カラーインクを吐出するノズルを、半ピッチずらして左右対称に配置するものもあり、往復印字を行うのに極めて優れた性能を有するものである。
【０００４】
このようなインクジェットヘッドの中には、特許文献２に記載されているように、吐出口からの蒸発を抑制して不安定な吐出を防止するために、吐出口の近くに蒸発抑制溝を備えているものが知られている。また、流路となる型の上に樹脂を塗布後、型を除去して流路を形成するインクジェットヘッドの製造方法において、樹脂の膜厚を均一化するためにノズルの表面（以下、フェイス面と称す）に溝を設けることが特許文献３に開示されている。
【０００５】
さて、インクジェットヘッドで記録を行うと、主たるインク滴に付随して、主たるインク滴より遅れて飛翔する微小なインク滴が発生する場合がある。また、さらに主たるインク滴の被記録媒体への着弾の際に、インクが跳ね返る現象により、微小なインク滴が発生する場合もある。これらの微小なインク滴はインクミストと呼ばれており、キャリッジ移動及び吐出する液滴自身による気流によって、フェイス面に付着する。さらに、フェイス面上のインクミストは集合しインク溜り（以下、フェイス濡れと称す）となる場合がある。このフェイス濡れが使用する吐出口近傍に付着すると、インクを吐出する際に吐出方向が乱れ、記録上所望の位置に着弾しないヨレを生じてしまう等の問題がある。そのため、フェイス面を撥水面にすることで吐出口近傍に残るインクミストを少なくし、吐出性能への影響を少なくする方法が用いられている。
【特許文献１】特開２００１−１７１１１９号公報
【特許文献２】特開平１１−５３０７号公報
【特許文献３】特開平０９−００１８０９号公報
【発明の開示】
【発明が解決しようとする課題】
【０００６】
しかしながら、本発明者らは、撥水面上においてインクミストが集中的に付着した際に、次のような現象が発生する場合があることを見出した。
【０００７】
すなわち、インク吐出を行うための駆動周波数を極端に高くするなどしてフェイス濡れを発生させた場合，フェイス濡れの径が１００μｍ程度に達すると、ヘッドの往復走査時の慣性力などによりインクミストがフェイス面上を移動しやすくなる。そのため、周りのフェイス濡れと合体することで、さらに大きなフェイス濡れに成長する。このように成長したフェイス濡れがフェイス面に存在すると、場合によってはノズル内に気泡が存在している状態で濡れが吐出口に対し蓋をしてしまい、記録中に不吐を生じさせる要因にもなりうる。このような現象は、前述の特許文献２や特許文献３に開示される構成でも発生する恐れがあった。
【０００８】
この課題は、フェイス面をブレードなどでクリーニングしたり、インク吸引を行ったりという、いわゆる回復処理を行うことによって解決できるが、記録動作中に頻繁に回復処理を行うようでは印字速度が犠牲となってしまう。今後のインクジェットヘッドはより一層の高画質化，高速化のために従来よりもノズル数がさらに増えることが予想されるが、それに伴い上記の問題が顕著となってくる。そこで、従来とはまったく異なる解決方法が求められていた。
【課題を解決するための手段】
【０００９】
本発明の目的は、上記課題を解決し、高周波数で連続してインクを吐出させても、回復処理を頻繁に行うことなく吐出状態を安定に保つことを可能とするインクジェットヘッド、インクジェットプリンタおよびインクジェットヘッドの製造方法を提供することである。
【００１０】
上述の目的を達成するために、本発明のインクジェットヘッドは、被記録媒体に対して相対的に移動する際に任意のインクノズルから前記被記録媒体にインク滴を吐出するインクジェットヘッドであって、多数の前記インクノズルが配列されたノズルアレイを前記相対的な移動方向に複数備え、前記複数のノズルアレイ間に、凹状をなす親水性の溝が前記副走査方向に向けて連続的に形成されており、該溝の毛管力は、中央部よりも端部部が高いことを特徴とする。
【００１１】
また、本発明のインクジェット記録装置は、上述のインクジェットヘッドを用いるとともに、前記インクジェットヘッドを主走査方向に移動させる主走査機構と、前記インクジェットヘッドと対向する位置で前記被記録媒体を副走査方向に移動させる副走査機構と、前記インクジェットヘッドと前記主走査機構と前記副走査機構との動作を統合制御する統合制御回路と、前記吐出口の機能を回復するためのキャップ手段と、を備え、前記インクジェットヘッドは、前記複数のノズルアレイが前記主走査方向に並ぶように前記主走査機構に保持されていることを特徴とするものである。
【００１２】
また、本発明のインクジェットヘッドの製造方法は、インク滴を吐出するノズルを有し、前記ノズルに連通し、撥水性の表面に形成された吐出口から被記録媒体に対してインクを吐出するインクジェットヘッドの製造方法において、前記表面に凹状の親水性の溝を形成する工程を含むことを特徴とするものである。
【発明の効果】
【００１３】
本発明によれば、吐出口が形成された撥水性の表面に凹状の親水性の溝が形成されていることでフェイス濡れに起因する不吐出を防止することができる。よって、高周波数で連続してインクを吐出させた際でも、フェイス面のクリーニングおよびインク吸引を頻繁に行うことなく吐出状態を安定に保つことが可能となる。
【発明を実施するための最良の形態】
【００１４】
以下，図面を参照して本発明の実施形態について詳細に説明する。なお，以下の説明では、同様の機能を有する構成要件には同一の符号を付与し、その説明を省略する。
［第１の実施形態］
図１は、本実施形態におけるインクジェットヘッドのインクノズル及び親水溝のパターンを示す平面図である。図２は、本実施形態のインクジェットヘッドが有するインクノズルの配列パターンを示す平面図である。図３は、本実施形態のインクジェットヘッドのインクノズル及び親水溝のパターンを示す断面図であり、（ａ）は図１のＡ−Ａ断面図、（ｂ）は図１のＢ−Ｂ断面図である。
【００１５】
図１に示すように、本実施形態のインクジェットヘッド１００は、フルカラー印刷に対応した往復タイプに形成されており、各々が副走査方向に配列された多数のインクノズル１０１からなる１０列のノズルアレイ１０２が主走査方向に配列されている。詳細には、図２に示すように、１０列のノズルアレイ１０２が、三原色であるＹ（イエロー）、Ｍ（マゼンタ）、Ｃ（シアン）色のインク滴Ｄ（例えば図９（ａ）参照）を個々に吐出するノズルアレイ１０２−Ｙ、１０２−Ｍ、１０２−Ｃからなる。そして、これらＹ、Ｍ、Ｃ用のノズルアレイ１０２−Ｙ、１０２−Ｍ、１０２−ＣがＹ用を中心に主走査方向で対称に配列されている。すなわち、主走査方向の一方から他方までは、ノズルアレイ１０２−ＣＬ１、１０２−ＣＳ１、１０２−ＭＬ１、１０２−ＭＳ１、１０２−ＹＬ１、１０２−ＹＬ２、１０２−ＭＳ２、１０２−ＭＬ２、１０２−ＣＳ２、１０２−ＣＬ２、の順番に配列されている。なお、Ｍ、Ｃ用のノズルアレイ１０２−Ｍ、１０２−Ｃのインクノズル１０１は、直径が約“１０（μｍ）”の円形に形成されている。
【００１６】
また、本実施形態のインクジェットヘッド１００では、各ノズルアレイ１０２にインクノズル１０１が６００ｄｐｉ（ｄｏｔ  ｐｅｒ  ｉｎｃｈ）の密度で配列されているので、各ノズルアレイ１０２でのインクノズル１０１の配列間隔Ｔは約４２μｍとなっている。
【００１７】
また、本実施形態のインクジェットヘッド１００では、ノズルアレイ１０２−Ｌの配列ピッチおよびノズルアレイ１０２−Ｓの配列ピッチはおよそ１．４ｍｍであり、隣接する同色のノズルアレイ１０２の配列ピッチはおよそ０．２５ｍｍである。このとき、隣接する同色のノズルアレイ１０２−Ｌおよびノズルアレイ１０２−Ｓ間にはインク供給口１１１が配置されている。
【００１８】
つまり、同一インク供給口１１１に対応するノズル１０１−Ｌとノズル１０１−Ｓは主走査方向に対し、千鳥格子状に周期約２１μｍで並んでいる。
【００１９】
また、図１および図３に示すように、各色Ｙ、Ｍ、Ｃ用のノズルアレイ１０２−Ｙ、１０２−Ｍ、１０２−Ｃの周囲には、前述の特許文献３に開示される凹部１２が設けられている。本実施形態ではノズルからおよそ１５０μｍの位置に、その幅が一定な（およそ１００μｍ）にて設けられている。
【００２０】
本発明の特徴である親水溝１０は、図１に示すように、各インクの異色のノズル列間（１０２−Ｃと１０２−Ｍ、１０２−Ｍと１０２−Ｙ）の４箇所に、すなわち、異色のノズル列間のほぼ中間部分にそれぞれ２本ずつ略平行に設けられている。なお、この中間とは、２本の親水溝１０の間の中心線がノズル列間の略中間に位置するものである。また、親水溝１０が１本の構成の場合には、この中間位置は、親水溝１０の中心線を意味するものとなる。さらに、３本以上の親水溝１０が形成されている場合も同様に、溝数が偶数の場合は、真ん中の２本の親水溝１０の間の中心線がノズル列間の略中間に位置するものであり、溝数が奇数の場合は真ん中に位置する親水溝１０の中心線を意味する。
【００２１】
これら親水溝１０の副走査方向を法線とする断面の断面積は主走査方向に向けて一定でない。すなわち、図３（ａ）、（ｂ）に示すように、これら親水溝１０のノズル列方向の幅は、列中央部分が最も広く、列端部へ行くほど狭くなっている。
【００２２】
親水溝１０の副走査方向の間隔、つまり親水溝１０になっていない撥水面の幅は５００μｍ以上になると、多量のフェイス濡れが生成してしまう。そこで、本実施形態では、撥水面１１のノズル列中央付近における主走査方向の幅は２００μｍ以上とならないように親水溝１０の幅を設定した。その結果、親水溝１０は中心部（図３（ｂ）のｔ２）が１２０μｍ、端部（図３（ａ）のｔ１）が８０μｍ程度の溝を２本並列する構成とした。すなわち、ノズルアレイの親水溝１０の側の接線から、親水溝１０のノズルアレイ側の稜線までの間の、撥水面の幅は５００μｍ以下であり、親水溝１０の幅は５００μｍ以下である。また、各親水溝１０の間の撥水面の幅は５００μｍ以下である。 
【００２３】
また、この親水溝１０の断面積は中央部が最も大きく、端部ほど小さくなる構成を有し、長手方向の長さはノズル列と同じか若干長い。ちなみに、ノズルプレート１０４の断面部分には撥水処理を施さない。また、親水溝１０の底面１０ａおよび側壁面１０ｂにも撥水処理は施していない。すなわち、親水溝１０の底面１０ａおよび側壁面１０ｂはノズルプレート表面と比較して相対的に親水性を呈する。なお、底面１０ａあるいは側壁面１０ｂのいずれか一方のみ親水性とするものであってもよい。
【００２４】
インクミストはこの親水溝１０に回収されると親水溝１０のノズルプレート断面に沿って溜る。さらに親水溝１０は、端部に向かうほど断面積を小さくしているので、親水溝１０の中央部に付着したインクミストが親水溝１０のノズルプレート断面に沿って流れて長手方向の両端部へ溜りやすい構造にしている。
【００２５】
このような親水溝１０を有することで、フェイスミストが付着しやすい親水溝１０の中央部のインクミストをノズル列方向に分散させることができる。その結果、親水溝１０の中央部に局所的にフェイスミストが溜まりすぎて溢れてしまい、多量のフェイス濡れの生成を助長してしまうことを防ぐことができる。
【００２６】
ここで、ノズルプレート製造上、凹部１２を設けない場合には、各色ＹＭＣ用のノズルアレイ１０２−Ｙ、１０２−Ｍ、１０２−Ｃ間の撥水面積は大きくなってしまうため、親水溝１０の幅を広げると好適である。もしくは親水溝１０を上述の凹部１２の位置に設けるものであってもよい。
【００２７】
次に、図４及び図５を用いて本実施形態のインクジェットヘッドの製造方法について説明する。
【００２８】
図４にインクジェットヘッドの内部構造を示す。図４（ａ）はシリコン基板の平面図であり、図４（ｂ）はインクジェットヘッドの縦断正面図である。本実施形態のインクジェットヘッド１００は、図４（ｂ）に示すように、ノズルプレート１０４とシリコン基板１０５とを有しており、これらが積層されている。インクノズル１０１はノズルプレート１０４に形成されており、隣接する同色のノズルアレイ１０２ごとにノズルプレート１０４の内部で一体に連通されている。
【００２９】
シリコン基板１０５は、例えば、〈１００〉シリコンからなり、図４（ａ）に示すように、その表面にはインクノズル１０１の位置ごとにインク吐出手段である発熱素子１０７−Ｌ、１０７−Ｓが形成されている。この発熱素子１０７−Ｌ、１０７−Ｓがインクを発泡させることにより、インクノズル１０１からインク滴Ｄが吐出される。本実施形態では、大径のインクノズル１０１−Ｌに対応した発熱素子１０７−Ｌの大きさは２２×２２μｍ、小径のインクノズル１０１−Ｓに対応した発熱素子１０７−Ｓの大きさは２０×２０μｍである。
【００３０】
これらの発熱素子１０７-Ｌ、１０７−Ｓに主走査方向で隣接する位置には駆動回路１０８が形成されており、この駆動回路１０８に隣接する発熱素子１０７-Ｌ、１０７−Ｓが結線されている。また、シリコン基板１０５表面の副走査方向両端近傍の位置には、多数の接続端子１０９が形成されており、その接続端子１０９に駆動回路１０８が結線されている。
【００３１】
シリコン基板１０５には、隣接する同色のノズルアレイ１０２ごとにインク供給路１１１が形成されているので、図４（ａ）に示すように、このインク供給路１１１は隣接する同色のノズルアレイ１０２に共通に連通している。なお、このインク供給路１１１は、〈１００〉シリコンからなるシリコン基板１０５に異方性エッチングにより形成されているので、図４（ｂ）に示すように、その断面形状は台形となっている。
【００３２】
このようなインクジェットヘッドの製造方法としては、まず、図５（ａ）に示すようにシリコン基板１０５上に発熱素子１０７として電気熱変換素子（ＴａＮ）を配置し、さらに保護層としてＳｉＮ層、Ｔａ層（不図示）を形成した。次いで図５（ｂ）に示すようにシリコン基板１０５上に密着層１０８としてポリエーテルアミドの樹脂層を形成した。次いで、図５（ｃ）に示すように、この密着層１０８を、レジストなどを用いてパターニングした。
【００３３】
次いで図５（ｄ）に示すように、基板１０５上に東京応化工業（株）ポジレジストＯＤＵＲ１３を塗布した後、図５（ｅ）に示すようにマスク材１０６を用いて露光し、現像を行うことでインク流路２２パターンを形成した（図５（ｆ））。この際、後述する流路構成部材１４の平面性を高めるために、インク流路２２のパターンからおよそ１５０μｍの位置におよそ１００μｍ幅のポジレジストＯＤＵＲ１３を残している。
【００３４】
次に、図５（ｇ）に示すように、エポキシ樹脂からなる流路構成部材１４を基板１０５上に形成し、マスク材１０６を用いた露光、現像工程によって吐出口１５を形成した（図５（ｈ））。この際、同様にマスク材１０６を用いて吐出口列周囲に任意のパターンを設け、本発明の特徴であるノズルプレートの親水溝１０を形成した。
【００３５】
次いで基板１０５をＳｉ異方性エッチングによりエッチングしインク供給口１０を形成した（図５（ｉ））。
【００３６】
さらに流路構成部材１４のフェイス面に対して、シリコンゴム等の可撓性部材上に塗布した撥水剤を転写し、乾燥や硬化等の工程を経てインクジェットヘッドの撥水処理を行った。以上によりノズルプレートの製造工程が完了する。
【００３７】
次に本実施形態のインクジェットヘッドを搭載するインクジェットプリンタ、インクジェットカートリッジなどについて、図６〜図８を用いて説明する。
【００３８】
本実施形態のインクジェットヘッド１００は、図６に示すように、インクジェットプリンタ２００の一部として形成されており、図６および図７に示すように、本実施形態のインクジェットプリンタ２００のキャリッジ２０１に搭載されている。
【００３９】
すなわち、本実施形態のインクジェットヘッド１００は、より詳細には、図８に示すように、ヘッド本体２０２に装着されており、図７に示すように、このヘッド本体２０２がキャリッジ２０１に装着されている。キャリッジ２０１には、Ｙ、Ｍ、Ｃ用のインクカートリッジ２０２−Ｙ、２０２−Ｍ、２０２−Ｃが着脱自在に装着されている。そして、インクカートリッジ２０２−Ｙ、２０２−Ｍ、２０２−ＣからＹＭＣ色のインクがインクジェットヘッド１００のＹＭＣ用のノズルアレイ１０２−Ｙ、１０２−Ｍ、１０２−Ｃに各々供給される。
【００４０】
また、図６に示すように、本実施形態のインクジェットプリンタ２００は、主走査機構２０４と副走査機構２０５とを有している。主走査機構２０４は、キャリッジ２０１を主走査方向に移動自在に支持しており、副走査機構２０５は、インクジェットヘッド１００と対向する位置で被プリント媒体Ｐを副走査方向に移動させる。
【００４１】
さらに、本実施形態のインクジェットプリンタ２００は、マイクロコンピュータやドライバ回路などからなる統合制御回路を有している（図示せず）。この統合制御回路により、インクジェットヘッド１００、主走査機構２０４および副走査機構２０５の動作を統合制御する。
【００４２】
上述のような構成において、本実施形態のインクジェットプリンタ２００は、被プリント媒体Ｐの表面にカラー画像を形成することができる。その場合、副走査機構２０５により被プリント媒体Ｐを副走査方向に移動させるとともに、主走査機構２０４によりインクジェットヘッド１００を主走査方向に往復移動させる。このとき、インクジェットヘッド１００のインクノズル１０１から被プリント媒体Ｐにインク滴Ｄを吐出させるので、このインク滴Ｄが被プリント媒体Ｐに付着することでドットマトリクスのカラー画像が形成される。
【００４３】
本実施形態のインクジェットヘッド１００は、図２に示したように、前述のようにインク滴Ｄが同色で同径の左側と右側とのノズルアレイ１０２−１、１０２−２では、インクノズル１０１の配列の周期Ｔが同一で位相が半周期分ｔだけ相反している。このため、上述のように全部のノズルアレイ１０２を同時に稼働させることで、インク滴Ｄによる画素を被プリント媒体Ｐに副走査方向に周期ｔで配列することができる。
【００４４】
さらに、本実施形態のインクジェットプリンタ２００は、Ｙ、Ｍ、Ｃ色の画素の密度を調節することで二次色を疑似的に形成する。ちなみにさらなる高画質を実現する際には、この目安としてドット径約２０μｍが適当である。これは画素視認性の観点からドット径約２０μｍで下限に達するためである。これはにじみ率約２％の紙面上に打ち込まれたと仮定すると吐出量下限は約０．５ｐｌ相当である。
【００４５】
本実施形態のインクジェットプリンタ２００は、複数の動作モードが切換自在に設定され、その動作モードに対応して各種の記録動作が実行される。例えば、高画質モードでは、インクジェット１００が主走査方向に往復移動されるとき、その往路と復路との両方で全部のノズルアレイ１０２が低デューティにて数回の走査することで稼働される。
【００４６】
一方、複数の動作モードのうち、高速モードでは最小限の主走査回数で画像を形成したいため、インクジェット１００が主走査方向に往復移動されるとき、１度の主走査で高デューティな記録をしなくてはならない。特に、ドット径２０μｍ程度の小液滴量の吐出するヘッドで達成しようとした場合、単色の記録でも複数のノズル列（例えば１０１−ＣＬ１、１０１−ＣＳ１、１０１−ＣＬ２、１０１−ＣＳ２）を用いて記録をすることとなる。
【００４７】
また、二次色等の記録の際には、さらに使用ノズル列数が増えてしまう。この場合、使用列の間隔によって、インクミスト２０（図９参照）の撥水面１１への付着の仕方が異なることは本発明者等の検討で確認されている。
【００４８】
以下、使用ノズル間隔によるミストの付着を説明する。同一吐出量のノズルにて、周波数、デューティ、ノズル列数を同一とし、ヘッドと被プリント媒体Ｐ間を約１．７ｍｍで記録を行った後のフェイス濡れ２１の様子を比較する。図９（ａ）に示すように使用ノズル列間が十分広い場合、インクミスト２０は比較的広範囲に付着することで、大きなフェイス濡れ２１（図１０参照）は少ない。一方、図９（ｂ）に示すように使用ノズル列間が狭い場合、吐出、及びヘッドの往復移動に伴って生じる気流が干渉し強め合うことで、フェイス面への上昇気流が助長される。さらにヘッドの走査とインクの吐出に伴う気流の作用により、インクミスト２０はノズル列の中心部分に集中しやすくなる。
【００４９】
その結果、図１０に示すようにシアンインク用のノズル列１０２−Ｃとマゼンタインク用のノズル列１０２−Ｍを同時に用いた記録の後には両色のノズル列間には特にインクミスト２０が集中しやすく、大きなフェイス濡れ２１の発生も多くなってしまう。特に駆動周波数３０ｋＨｚ、ノズル列１０２−Ｃとノズル列１０２−Ｍを同時１００％デューティにて記録を行った際、撥水面１１が５００μｍ以上ある構成では、フェイス濡れ２１が多量に集まることが観測された。
【００５０】
本発明の特徴である親水溝１０は、上述のような高周波数、高デューティな記録の際に、特に効果を示す。すなわち、溝の中央部より端部の方が毛管力が高いため、溜まったインクミスト２０はノズルプレート構成材の壁部分を伝わり中心部から端部へ向かって溜りやすくなっている。そのため、図１１（ａ）に示すような従来のインクミスト２０が撥水面１１上にて多量に溜まりやすい場合にも、図１１（ｂ）に示すように多量に溜まる前に親水溝１０を介して記録ヘッドの端部へインクを移動させることが出来る。
【００５１】
よって、従来の構成ではインクミスト２０が溜り易く、多量なフェイス濡れ２１により、ヨレや不吐が発生していたのに対し、本発明の構成によって、多量なフェイス濡れ２１の発生を押さえることが可能となる。しかもインクミスト２０が集中するインクジェットヘッドの中央域には留めない構造によって、親水溝１０からのインクミスト２０の溢れも防止することで、フェイス面１１上のフェイス濡れ２１防止の効果を一層高めている。
【００５２】
その結果として、高画質化と高速化を実現する際に課題となる小液滴ノズルの高周波数駆動時においてもインクミストによるフェイス濡れが引き起こす不吐現象を抑制し、記録持続性能を高めることができる。
【００５３】
例えば、シアンインク用のノズル列１０２−Ｃとマゼンタインク用のノズル列１０２−Ｍを同時に用いた高デューティな記録の際には、本実施形態は従来の形態と比較して２倍以上のベタ記録持続性能を示した。
【００５４】
なお、本発明は上記ヘッド形態に限定されるものではなく、その要旨を逸脱しない範囲で各種の変形を許容する。例えば、上記形態では画質への影響が少ないＹ色のためには多量ノズルアレイ１０２−ＹＬ１、１０２−ＹＬ２しか形成していないことにより、インクジェットヘッド１００の構造を簡略化することを例示した。しかし、Ｙ、Ｍ、Ｃ用の全部もしくは部分的に吐出液滴の大きい多量ノズルアレイ１０２−Ｌ１、１０２−Ｌ２と高画質、高階調を達成する少量ノズルアレイ１０２−Ｓ１、１０２−Ｓ２を併せ持って形成すること等も可能である。
【００５５】
同様に、本実施形態ではインクジェットプリンタ２００のＹ、Ｍ、Ｃ用のインクジェットヘッド１００のみ搭載することを例示したが、さらにＫ（ブラック）用のインクジェットヘッドを搭載することも可能である。また、Ｙ、Ｍ、Ｃ以外の色用のインクジェットヘッドを搭載することも可能である（図示せず）。
【００５６】
さらに、本実施形態ではインクジェットプリンタ２００がインクジェットヘッド１００を主走査方向に往復移動させるときに全部のノズルアレイ１０２を常時稼働させることを例示した。しかし、例えば、図１でインクジェットヘッド１００が右側に移動するときには右側のノズルアレイ１０２−１のみ稼働させ、左側に移動するときには左側のノズルアレイ１０２−２のみ稼働させるようなことも可能である。
【００５７】
また、本実施形態ではインクノズル１０１からインク滴Ｄを吐出させるインク吐出手段として発熱素子１０７を例示したが、これを振動素子（図示せず）とすることも可能である。
【００５８】
従来、印刷時に複数のノズル列をほぼ同時に吐出させた際、各ノズルアレイの間には局所的にインクミストが撥水性を有する表面（フェイス面）に付着し、集合することでフェイス濡れが発生する場合があった。本発明によれば、フェイス濡れがフェイス面上を移動しやすくなる数百μｍ程度以上に集合する前にフェイス濡れを分散し、多量に集合したフェイス濡れが撥水面上を移動することを防止することが可能となる。すなわち、本発明は以上説明したようにフェイス面に形成された親水性の溝によってフェイス濡れを捕捉することで、多量なフェイス濡れが原因となり引き起こされる記録中の不吐について改善することができる。
［第２の実施形態］
本実施形態のインクジェットヘッドのインクノズル及び親水溝のパターンを示す平面図を図１２（ａ）に、また、その部分拡大図を図１２（ｂ）にそれぞれ示す。
【００５９】
本実施形態のインクジェットヘッドは、ノズル列中央部分とノズル列端部のノズル列方向の全幅は変わらない構成になっている点で第１の実施形態とは異なる。さらに、本実施形態のインクジェットヘッドの親水溝３１０内部にはノズルプレート構成部材からなる複数の凸部１３を設けている点でも異なる。
【００６０】
なお、凸部１３同士の間隔、および凸部１３と親水溝３１０全幅のノズルプレート壁部分の間に形成される凹部分（「隙間間隔」と称す）との間隔は、中央部より端部の毛管力が大きくなるように設定されている。すなわち、ノズル列中心部においてはインクミスト２０を分散させるよう間隔を広く、一方、ノズル列端部はインクミスト２０を保持させるよう間隔を狭く設定する。
【００６１】
なお、親水溝３１０の主走査方向の全幅は、フェイス濡れ２１が撥水面１１上を移動しやすくなる２００μｍ以上とならないように設定している。すなわち、幅４００μｍ程度の溝１本を各色のノズル列間に設け、さらに、複数の凸部１３の隙間間隔は、ノズル列端部がおよそ２０μｍ間隔、ノズル列中心部はおよそ１００μｍ間隔と段階的に変化するように設けている。
【００６２】
ちなみに、第１の実施形態と同様に、この凹部１２を設けない場合には、各色ＹＭＣ用のノズルアレイ１０２−Ｙ、１０２−Ｍ、１０２−Ｃ間の撥水面積は大きくなってしまうため、親水溝３１０の幅を広げると好適である。もしくは親水溝３１０の数を増やすものであってもよい。
【００６３】
本実施形態によっても、第一の実施形態と同様、従来の形態と比較して２倍以上のベタ記録持続性能を示すことができた。
［第３の実施形態］
図１３に本実施形態のインクジェットヘッドのインクノズル及び親水溝のパターンを示す平面図を示す。本実施形態のインクジェットヘッドは、第１の実施形態と比較して、複数の親水溝１０を、その端部で連通させる回収溝１５０と、回収溝に接す吸収部材１６０とを備えている点が異なっている。
【００６４】
本実施形態のインクジェットヘッドでは、親水溝１０の中央部にあるインクが、親水溝１０の毛管力によって端部に移動した後、回収溝１５０へと移動する。そして回収溝１５０に移動したインクは、ウレタンフォームなどの多孔質体などからなる吸収部材１６０に吸収される。このような構成とすることで、ミスとを確実に吸収部材１６０に保持することができ、より一層吐出状態を安定に保つことが可能となる。なお、吸収部材１６０に回収されたインクは、非記録時に蒸発させるようにしても良いし、インクジェットプリンタにポンプ（不図示）等を設けて、記録ヘッドのクリーニングなどの際に回収しても良い。
【図面の簡単な説明】
【００６５】
【図１】本発明の第１の実施形態におけるインクジェットヘッドのインクノズル及び親水溝のパターンを示す平面図である。
【図２】本発明の第１の実施形態におけるインクジェットヘッドが有するインクノズルの配列パターンを示す平面図である。
【図３】インクジェットヘッドのインクノズル及び親水溝のパターンを示す断面図であり、（ａ）は図１のＡ−Ａ断面における断面図、（ｂ）は図１のＢ−Ｂ断面における断面図である。
【図４】本発明の第１の実施形態におけるインクジェットヘッドの内部構造を示し、（ａ）はシリコン基板の平面図であり、（ｂ）はインクジェットヘッドの縦断正面図である。
【図５】本発明の第１の実施形態におけるインクジェットヘッドのノズルプレートの製造工程を示す断面模式図である。
【図６】キャリッジに本発明の第１の実施形態のインクカートリッジを装着する状態を示す分解斜視図である。
【図７】本発明のインクジェットプリンタの一例の内部構造を示す斜視図である。
【図８】本発明の第１の実施形態のインクジェットヘッドがヘッド本体に装着された状態を示す斜視図である。
【図９】（ａ）は使用ノズル列間が十分広い場合、（ｂ）は使用ノズル列間が狭い場合におけるインク吐出時の気流によるインクミストの流れの模式図である。
【図１０】本発明のヘッド形態におけるインクジェットヘッド構成における記録後のフェイスミストの集中領域を示す平面模式図である。
【図１１】（ａ）は、本発明の実施形態における記録後のインクジェットヘッドフェイス面のフェイス濡れを示す断面模式図であり、（ｂ）は、従来のインクジェットヘッド構成における記録後のインクジェットヘッドフェイス面のフェイス濡れを示す断面模式図である。
【図１２】（ａ）は、本発明第２の実施形態におけるインクジェットヘッドのインクノズル及び親水溝のパターンを示す平面図であり、（ｂ）は、本発明第２の実施形態におけるインクジェットヘッドのインクノズル及び親水溝のパターンを示す部分拡大図である。
【図１３】本発明の第３の実施形態におけるインクジェットヘッドのインクノズル及び親水溝のパターンを示す平面図である。
【符号の説明】
【００６６】
１０、３１０    親水溝
１００    インクジェットヘッド
１０１    ノズル
１０４    ノズルプレート
Ｐ    被プリント媒体
【図１】
2006103320.tif 000003
【図２】
2006103320.tif 000004
【図３】
2006103320.tif 000005
【図４】
2006103320.tif 000006
【図５】
2006103320.tif 000007
【図６】
2006103320.tif 000008
【図７】
2006103320.tif 000009
【図８】
2006103320.tif 000010
【図９】
2006103320.tif 000011
【図１０】
2006103320.tif 000012
【図１１】
2006103320.tif 000013
【図１２】
2006103320.tif 000014
【図１３】
2006103320.tif 000015